(57)【要約】【課題】貯水タンク内の水を洗浄槽内に給水し洗浄する機能を有する食器洗い機において、排水手段がない場合に発生する残水の問題を解決し、複雑な構造の分岐水栓を必要とせず、専門家による取り付け工事も必要とせず、設置性、安全性、使い勝手を大幅に向上する。【解決手段】食器などの被洗浄物１４を洗浄する洗浄槽２内に給水する水を貯水タンク１９に貯水し、洗浄槽２内に給水ポンプ２２と給水ホース２３により給水するとともに、洗浄槽２内の水を排水ポンプ１６により排水する。貯水タンク１９内の水を給水ポンプ２２と給水ホース２３によって洗浄槽２内に給水し、洗浄槽２内に給水した水を排水ポンプ１６によって排水するようにする。【選択図】図１
2005143789.tif 000002
【特許請求の範囲】
【請求項１】
食器などの被洗浄物を洗浄する洗浄槽と、前記洗浄槽内に給水する水を貯水する貯水タンクと、前記洗浄槽内に給水する給水手段と、前記洗浄槽内の水を排水する排水手段とを備え、前記貯水タンク内の水を前記給水手段によって前記洗浄槽内に給水し、前記洗浄槽内に給水した水を前記排水手段によって排水するようにした食器洗い機。
【請求項２】
給水手段と排水手段とを同時に動作させるようにした請求項１記載の食器洗い機。
【請求項３】
食器などの被洗浄物を洗浄する洗浄槽と、前記洗浄槽内に給水する水を貯水する貯水タンクと、前記洗浄槽内に給水する給水手段とを備え、前記貯水タンク内の水を前記洗浄槽内に給水する給水経路に切換弁を設け、前記切換弁により前記洗浄槽への給水と前記貯水タンク内の排水とに切換できるよう構成した食器洗い機。
【請求項４】
食器などの被洗浄物を洗浄する洗浄槽と、前記洗浄槽内に給水する水を貯水する貯水タンクと、前記貯水タンクの水を排水する排水手段とを備え、前記排水手段は、所定時間放置後に自動で動作し、前記貯水タンクの残水を排水するよう構成した食器洗い機。
【請求項５】
食器などの被洗浄物を洗浄する洗浄槽と、前記洗浄槽内に給水する水を貯水する貯水タンクと、前記貯水タンクの水を排水する排水手段とを備え、前記排水手段は、コース運転終了後に動作し、前記貯水タンクの残水を排水するよう構成した食器洗い機。
【請求項６】
食器などの被洗浄物を洗浄する洗浄槽と、前記洗浄槽内に給水する水を貯水する貯水タンクと、前記貯水タンクの水を前記洗浄槽内に給水する給水手段と、前記貯水タンク内の水を排水する排水手段とを備え、前記排水手段は、前記貯水タンクの下部に設けた排水口を手動で開閉自在とした食器洗い機。
【発明の詳細な説明】
【技術分野】
【０００１】
本発明は、貯水タンク内の水を洗浄槽内に給水し洗浄する機能を有する食器洗い機に関するものである。
【背景技術】
【０００２】
従来、代表的な食器洗い機は、分岐水栓から洗浄に必要な水を分岐させて給水し、洗浄するものであり、この種の食器洗い機の構成を図６および図７を参照しながら説明する。
【０００３】
図６に示すように、食器洗い機本体１は、内部に洗浄槽２を設けており、この洗浄槽２内へ、図７に示すように、水道水栓３に取付けた分岐水栓４から水を分岐させ、給水弁５を開閉することにより水または湯を供給するようにしている。分岐水栓４から給水弁５までは給水ホース６で接続している。洗浄槽２の底部には排水口７を設け、この排水口７に連通し、モータ８によって駆動される洗浄ポンプ９を取り付け、この洗浄ポンプ９により洗浄水を洗浄槽２の内部に循環するよう構成している。モータ８、給水弁５等の電装部品の動作は制御装置１０で制御されている。また、排水口７には残菜を捕集する残菜フィルタ１１を具備している。
【０００４】
また、洗浄ノズル１２と洗浄槽２の底部との間には、洗浄水加熱用のヒータ１３を装備し、洗浄ノズル１２の上方には、被洗浄物１４を整然と配置でき、洗浄水を効果的に被洗浄物１４に噴射するように構成した食器かご１５を設置して効率的に洗浄を行っている。同時に、洗浄ノズル１２からの洗浄水の一部は、洗浄槽２にも当り、洗浄槽２も洗っている。また、排水ポンプ１６は、排水ホース１７を通して洗浄水を機外に排出するものである（例えば、特許文献１参照）。
【特許文献１】特開２００３−２１０３７８号公報
【発明の開示】
【発明が解決しようとする課題】
【０００５】
しかしながら、このような従来の構成では、水道水栓３に分岐水栓４を設け、分岐水栓４に給水ホース６を接続することにより洗浄槽２内に水を供給しているので、分岐水栓４は、通常、常時開放で使用されるため、水道水圧が直接かかるため、耐圧構造が必要であり、分岐水栓４の構造が非常に複雑になっていた。しかも、水道水栓３毎に、適合した分岐水栓４が必要であり、種類も多くなり、専門家による取り付け工事も必要で、益々、食器洗い機を使い難いものにしていた。
【０００６】
分岐水栓４を用いないで、水道水栓３に直接給水ホース６を接続する使用方法もあるが、この場合は、食器洗い機の使用時は、水道水栓３が他に使えないという不便さがあった。しかも、水道水栓３の閉鎖を忘れると、給水ホース６の接続が外れたり、給水ホース６が水圧により破れたりすると、水漏れを起こしていた。
【０００７】
また、給水量の制御は、給水弁５を開閉することによって行われており、分岐水栓４の開放時は、給水弁５にも水道水圧が直接かかるため、同様に耐圧構造が必要であった。
【０００８】
また、水道水圧を抑える方法として、貯水タンクを用いる手段も考えられるが、排水機能のない貯水タンクだけの構成では、貯水タンクに貯まった水を長期間使用しないで放置すると、貯水タンク内で、細菌を繁殖させ、水を腐らせ、臭いの元になり、衛生的にも、良くない現象を引き起こすと考えられる。排水機能のない貯水タンクだけの構成では、貯水タンク内に残った水を排水する手段は、通常の洗浄運転を行う必要がある。
【０００９】
本発明は上記従来の課題を解決するもので、貯水タンクとその排水手段を用いることによって、排水手段がない場合に発生する残水の問題を解決し、複雑な構造の分岐水栓を必要とせず、専門家による取り付け工事も必要とせず、設置性、安全性、使い勝手を大幅に向上することを目的としている。
【課題を解決するための手段】
【００１０】
本発明は上記目的を達成するために、食器などの被洗浄物を洗浄する洗浄槽内に給水する水を貯水タンクに貯水し、洗浄槽内に給水手段により給水するとともに、洗浄槽内の水を排水手段により排水するよう構成し、貯水タンク内の水を給水手段によって洗浄槽内に給水し、洗浄槽内に給水した水を排水手段によって排水するようにしたものである。
【００１１】
これにより、貯水タンクとその排水手段を用いることによって、排水手段がない場合に発生する残水の問題を解決することができ、複雑な構造の分岐水栓を必要とせず、専門家による取り付け工事も必要とせず、設置性、安全性、使い勝手を大幅に向上することができる。
【発明の効果】
【００１２】
本発明の食器洗い機は、貯水タンクとその排水手段を用いることによって、排水手段がない場合に発生する残水の問題を解決することができ、複雑な構造の分岐水栓を必要とせず、専門家による取り付け工事も必要とせず、設置性、安全性、使い勝手を大幅に向上することができる。
【発明を実施するための最良の形態】
【００１３】
第１の発明は、食器などの被洗浄物を洗浄する洗浄槽と、前記洗浄槽内に給水する水を貯水する貯水タンクと、前記洗浄槽内に給水する給水手段と、前記洗浄槽内の水を排水する排水手段とを備え、前記貯水タンク内の水を前記給水手段によって前記洗浄槽内に給水し、前記洗浄槽内に給水した水を前記排水手段によって排水するようにしたものであり、排水手段がない貯水タンクだけを用いただけの構成で発生する貯水タンク内の残水の問題は、洗浄槽内の水を排水する排水手段を用いることによって、洗浄運転を行わなくても、専用の排水コースで、直接、排水できるので、長期間放置した水で洗浄槽の全体が汚染されることがなくなり、貯水タンクを用いる手段を有効に使うことができる。よって、洗浄のときは、洗浄に使われる水を貯水タンクに一旦貯めるので、水道水圧が大気に開放され、水道水栓の開閉で給水を行う場合は、水道水圧が直接かからないので、耐圧構造を必要とせず、分岐水栓の構造を簡易な形状の給水継手等で構成できる。
【００１４】
第２の発明は、上記第１の発明において、給水手段と排水手段とを同時に動作させるようにしたものであり、食器洗い機本体への給水と同時に機外への排水を行うことができるので、連続して排水することができ、貯水タンク内の水を排水するための時間を短くできて、時間短縮に有効である。
【００１５】
第３の発明は、食器などの被洗浄物を洗浄する洗浄槽と、前記洗浄槽内に給水する水を貯水する貯水タンクと、前記洗浄槽内に給水する給水手段とを備え、前記貯水タンク内の水を前記洗浄槽内に給水する給水経路に切換弁を設け、前記切換弁により前記洗浄槽への給水と前記貯水タンク内の排水とに切換できるよう構成したものであり、給水手段を動作させることによって、洗浄槽内に給水しなくても、直接、貯水タンク内の水を機外に排水することができるので、長期間放置した水が洗浄槽に入ることがなく、洗浄槽、被洗浄物等が汚染されることがなくなる。また、切換弁は食器洗い機本体の外側、内側どちらに配設してもよく、切換弁の構造も自動、手動のどちらでもよい。
【００１６】
第４の発明は、食器などの被洗浄物を洗浄する洗浄槽と、前記洗浄槽内に給水する水を貯水する貯水タンクと、前記貯水タンクの水を排水する排水手段とを備え、前記排水手段は、所定時間放置後に自動で動作し、前記貯水タンクの残水を排水するよう構成したものであり、貯水タンク内に水を貯めたまま、長期間使用しないで排水を忘れていても、水を腐らせる前に排水できるので、洗浄槽、被洗浄物等が汚染されることはなくなる。
【００１７】
第５の発明は、食器などの被洗浄物を洗浄する洗浄槽と、前記洗浄槽内に給水する水を貯水する貯水タンクと、前記貯水タンクの水を排水する排水手段とを備え、前記排水手段は、コース運転終了後に動作し、前記貯水タンクの残水を排水するよう構成したものであり、長期間使用しない場合などに、貯水タンク内に水を貯めたまま放置することがなくなり、洗浄槽、被洗浄物等が汚染されることがなくなる。
【００１８】
第６の発明は、食器などの被洗浄物を洗浄する洗浄槽と、前記洗浄槽内に給水する水を貯水する貯水タンクと、前記貯水タンクの水を前記洗浄槽内に給水する給水手段と、前記貯水タンク内の水を排水する排水手段とを備え、前記排水手段は、前記貯水タンクの下部に設けた排水口を手動で開閉自在としたものであり、長期間放置した貯水タンク内の水を洗浄槽内に給水することなく、直接排水することができるので、洗浄槽、被洗浄物等が汚染されることがなくなる。また、貯水タンク内の水の排水を排水口の開閉を手動で行うという簡単な構成でできるので、コストを抑えることができるというメリットもある。
【００１９】
以下、本発明の実施の形態について、図面を参照しながら説明する。なお、従来例と同じ構成のものは同一符号を付して説明を省略する。また、この実施の形態によって本発明が限定されるものではない。
【００２０】
（実施の形態１）
図１は、本発明の実施の形態１における食器洗い機の断面図、図２は食器洗い機の使用状態の斜視図である。
【００２１】
図１および図２に示すように、食器洗い機本体１８は、内部に洗浄槽２と貯水タンク１９を配設している。貯水タンク１９は洗浄槽２内に給水する水を貯水するもので、洗浄槽２の後面に設けている。この貯水タンク１９へは、水道水栓３の蛇口に設けた給水継手２０を分岐させた分岐口２１から給水ホース６を通して給水するように構成している。ここで、給水継手２０は浄水器やアルカリ整水器に用いている水道水栓３の蛇口に直接取付けている簡単に取り付け可能な簡易な形状の分岐水栓のことをいう。
【００２２】
また、給水ポンプ２２は、貯水タンク１９から洗浄槽２への給水するもので、この給水ポンプ２２を駆動することによって、給水ポンプ２２と洗浄槽２間に設けた給水ホース２３内に水を流し、洗浄槽２内へ貯水タンク１９から水が給水できるように構成している。なお、給水ポンプ２２と給水ホース２３とで給水手段を構成している。
【００２３】
また、貯水タンク１９には、水道水栓３に設けた給水継手２０の分岐口２１から水を給水する給水口２４と所定量以上の水を排水するオーバーフロー口２５を設けている。また、制御装置２６は、貯水タンク１９内の水を洗浄コース運転をしないで排水する専用コースを有する。他の構成は従来例と同じであり、同一符号を付して説明を省略する。
【００２４】
上記において動作を説明する。水道水栓３に取付けた給水継手２０から、水を分岐させ、貯水タンク１９内に給水する。貯水タンク１９内に貯まった水は、給水ポンプ２２を駆動することによって洗浄槽２に給水する。洗浄槽２に所定量の給水をすると、洗浄ポンプ９を駆動することによって、被洗浄物１４の洗浄を行う。洗浄後は、排水ポンプ（排水手段）１６を駆動して排水ホース１７により機外に洗浄後の水を排水する。
【００２５】
つぎに、貯水タンク１９内の残水を排水するときは、給水ポンプ２２を駆動することによって洗浄槽２内に給水し、排水ポンプ１６を作動して、専用の排水コースで直接排水することができる。よって、洗浄運転を行わなくても、貯水タンク１９内の残水を排水できる。それ故、専用の排水コースを持たない貯水タンク１９で発生すると考えられる貯水タンク１９内の残水の問題も起きない。よって、洗浄コースの運転を行う必要がないので、長期間放置した水で洗浄槽２の全体が汚染されることはない。この排水ポンプ１６を用いることによって、貯水タンク１９を用いる手段も有効に使えるようになる。
【００２６】
それ故、貯水タンク１９を用いる手段を有効に使え、洗浄のときは、洗浄に使われる水を貯水タンク１９に一旦貯めるので、水道水圧が大気に開放され、水道水栓３の開閉で給水を行う場合は、水道水圧が分岐水栓に直接かからないので、耐圧構造を必要とせず、分岐水栓の構造を簡易な形状の給水継手２０等で構成できる。
【００２７】
また、貯水タンク１９を洗浄槽２の後面に配置しているので、加熱された洗浄水が側壁２７に当ることによって側壁２７を加熱し、加熱された側壁２７は貯水タンク１９に貯まっている水を加熱する。よって、以後、使用する水の加熱のための、ヒータ等１３の消費電力を削減できる。また、洗浄槽２の側壁２７の外側に貯水タンク１９の側壁もあるので、洗浄槽２の側壁２７が二重構造になるので防音構造にもなる。
【００２８】
また、貯水タンク１９の水を洗浄槽２内に給水する給水ポンプ２２と、洗浄槽内２に給水した水を排水する排水ポンプ１６段を同時に動作させると、給水と同時に排水を行うことができるので、連続して排水することができ、貯水タンク１９内の水を排水するための時間が短くなり、時間短縮に有効である。
【００２９】
また、上記排水コースにおいて、貯水タンク１９内の水の排水を制御装置２６によって、所定時間放置後に自動で動作するように構成することにより、貯水タンク１９内に水を貯めたまま排水を忘れていても、水を腐らせる前に排水できるので、洗浄槽２、被洗浄物１４等が汚染されることはない。よって、より衛生的である。また、貯水タンク１９内に水位センサ（図示せず）を設けると、水の有無が判定できるので、貯水タンク１９内に水がない場合の自動運転を止めることができる。
【００３０】
以上のように、本実施の形態においては、貯水タンク１９内の水を給水ポンプ２２によって洗浄槽２内に給水し、洗浄槽２内に給水した水を排水ポンプ１６によって排水するようにしたので、排水手段がない貯水タンク１９だけを用いただけの構成で発生する貯水タンク１９内の残水の問題は、洗浄槽２内の水を排水する排水ポンプ１６を用いることによって、洗浄運転を行わなくても、専用の排水コースで、直接排水できるので、長期間放置した水で洗浄槽２の全体が汚染されることがなくなる。よって、洗浄のときは、洗浄に使われる水を貯水タンク１９に一旦貯めるので、水道水圧が大気に開放され、水道水栓３の開閉で給水を行う場合は、水道水圧が直接かからないので、耐圧構造を必要とせず、分岐水栓の構造を簡易な形状の給水継手２０で構成することができ、専門家による取り付け工事も必要とせず、設置性、安全性、使い勝手を大幅に向上することができる。
【００３１】
また、給水ポンプ２２と排水ポンプ１６とを同時に動作させるようにしたので、食器洗い機本体１８への給水と同時に機外への排水を行うことができるので、連続して排水することができ、貯水タンク１９内の水を排水するための時間を短くできて、時間短縮に有効である。
【００３２】
また、排水ポンプ１６は、所定時間放置後に自動で動作し、貯水タンク１９の残水を排水するよう構成したので、貯水タンク１９内に水を貯めたまま、長期間使用しないで排水を忘れていても、水を腐らせる前に排水できるので、洗浄槽２、被洗浄物１４等が汚染されることはなくなる。
【００３３】
（実施の形態２）
図３は、本発明の実施の形態２における食器洗い機の断面図である。
【００３４】
図３に示すように、切換弁２８は、貯水タンク１９の水を洗浄槽２内に給水する給水ホース２３の途中に設け、切換弁２８により洗浄槽２への給水と貯水タンク１９内の排水とに切換できるよう構成している。他の構成は上記実施の形態１と同じであり、同一符号を付して説明を省略する。
【００３５】
上記において動作を説明する。なお、貯水タンク１９への給水、洗浄槽２への給水等の基本的な動作は、上記実施の形態１と同じであるので説明を省略する。
【００３６】
貯水タンク１９の水を洗浄槽２内に給水する給水ホース２３の途中に、切換弁２８を設けることによって、貯水タンク１９内の水を排水するときは、切換弁２８をタンク外へ排水する側に切換え、給水ポンプ２２を動作させることによって排水できる。よって、貯水タンク１９内の水が洗浄槽２に給水されないで、機外に、直接排水することができる。これによって、長期間放置した水が洗浄槽２に入ることがないので、洗浄槽２、被洗浄物１４等が汚染されることはなくなる。
【００３７】
以上のように、本実施の形態においては、貯水タンク１９内の水を洗浄槽２内に給水する給水経路に切換弁２８を設け、切換弁２８により洗浄槽２への給水と貯水タンク１９内の排水とに切換できるよう構成したので、給水ポンプ２２を動作させることによって、洗浄槽２内に給水しなくても、直接、貯水タンク１９内の水を機外に排水することができるので、長期間放置した水が洗浄槽２に入ることがなく、洗浄槽２、被洗浄物１４等が汚染されることがなくなる。
【００３８】
なお、上記実施の形態では、切換弁２８を制御装置２６により自動で切換える構成とし、食器洗い機本体１８の内側に配設しているが、図４に示すように、切換弁２８をレバー２９により手動で切り換えるよう構成し、食器洗い機本体１８の外側に配設して、外部よりレバー２９を操作して手動で切り換えるよう構成してもよく、同様の作用、効果を得ることができる。
【００３９】
（実施の形態３）
図１に示す制御装置２６は、洗浄、すすぎ、加熱すすぎの各行程を逐次制御し、このコース運転終了後、すなわち加熱すすぎ行程の後に、貯水タンク残水排水行程を行うよう構成している。貯水タンク残水排水行程では、給水ポンプ２２と排水ポンプ１６とを駆動し、貯水タンク１９内の水を排水するように構成している。他の構成は上記実施の形態１と同じである。
【００４０】
上記において動作を説明する。なお、貯水タンク１９への給水、洗浄槽２への給水等の基本的な動作は、上記実施の形態１と同じであるので説明を省略する。
【００４１】
コース運転終了後に、貯水タンク残水排水行程で、給水ポンプ２２と排水ポンプ１６とを駆動して貯水タンク１９内の水を排水するように構成したことによって、洗浄、すすぎ、加熱すすぎの各行程の運転を行った後、貯水タンク１９内の残水を自動的に排水することができる。
【００４２】
以上のように、本実施の形態においては、コース運転終了後に、給水ポンプ２２と排水ポンプ１６とを駆動して貯水タンク１９内の水を排水するよう構成したので、長期間使用しない場合などに、貯水タンク１９内に水を貯めたまま放置することがなくなり、洗浄槽２、被洗浄物１４等が汚染されることがなくなる。
【００４３】
なお、本実施の形態では、貯水タンク残水排水行程で、給水ポンプ２２と排水ポンプ１６とを駆動するようにしているが、上記実施の形態２と同様に、貯水タンク１９内の水を洗浄槽２内に給水する給水経路に切換弁２８を設け、切換弁２８を切り換え、排水ポンプ１６を駆動して貯水タンク１９内の水を排水するように構成してもよく、同様の作用、効果を得ることができる。
【００４４】
（実施の形態４）
図５は、本発明の実施の形態３における食器洗い機の断面図である。
【００４５】
図５に示すように、貯水タンク３０は洗浄槽２内に給水する水を貯水するもので、洗浄槽２の後面に設けている。この貯水タンク３０の下部に、手動で開閉可能な排水口３１を設け、排水口３１の先端に手動コック３２を設け、排水口３１を手動で開閉自在とし、貯水タンク３０内の水を排水するようにしている。手動コック３２の先端には、排水ホース３３を接続している。他の構成は上記実施の形態１と同じである。
【００４６】
上記において動作を説明する。貯水タンク３０への給水、洗浄槽２への給水等の基本的な動作は、上記実施の形態１と同じであるので説明を省略する。
【００４７】
貯水タンク３０の下部に手動で開閉自在な排水口３１を設け、排水口３１の先端に手動コック３２を設けることで、排水口３１の先端の手動コック３２を開くことによって、貯水タンク３０内の水は排水ホース３３を通って機外に排水することができる。よって、貯水タンク３０内の水を長期間放置しても、洗浄槽２内に給水することなく、直接、排水することができるので、洗浄槽２、被洗浄物１４等が汚染されることはない。
【００４８】
また、手動コック３２の代わりにゴム製の排水キャップ等を排水口３１の先端に設けてもよい。
【００４９】
以上のように、本実施の形態においては、貯水タンク３０の下部に手動で開閉可能な排水口３１を設け、排水口３１の先端に手動コック３２を設け、排水口３１を手動で開閉自在として、貯水タンク３０内の水を排水するようにしているので、長期間放置した貯水タンク３０内の水を洗浄槽２内に給水することなく、直接排水することができるので、洗浄槽２、被洗浄物１４等が汚染されることがなくなる。また、貯水タンク３０内の水の排水を排水口３１の開閉を手動で行うという簡単な構成でできるので、コストを抑えることができるというメリットもある。
【産業上の利用可能性】
【００５０】
以上のように、本発明にかかる食器洗い機は、貯水タンクとその排水手段を用いることによって、排水手段がない場合に発生する残水の問題を解決することができ、複雑な構造の分岐水栓を必要とせず、専門家による取り付け工事も必要とせず、設置性、安全性、使い勝手を大幅に向上することができるので、貯水タンク内の水を洗浄槽内に給水し洗浄する機能を有する食器洗い機として有用である。
【図面の簡単な説明】
【００５１】
【図１】本発明の実施の形態１における食器洗い機の断面図
【図２】同食器洗い機の使用状態の斜視図
【図３】本発明の実施の形態２における食器洗い機の断面図
【図４】同食器洗い機の他の例の断面図
【図５】本発明の実施の形態４における食器洗い機の断面図
【図６】従来の食器洗い機の縦断面図
【図７】従来の食器洗い機の使用状態の斜視図
【符号の説明】
【００５２】
２  洗浄槽
１４  被洗浄物
１６  排水ポンプ（排水手段）
１９  貯水タンク
２２  給水ポンプ（給水手段）
２３  給水ホース（給水手段）
【図１】
2005143789.tif 000003
【図２】
2005143789.tif 000004
【図３】
2005143789.tif 000005
【図４】
2005143789.tif 000006
【図５】
2005143789.tif 000007
【図６】
2005143789.tif 000008
【図７】
2005143789.tif 000009